(57)【特許請求の範囲】
【請求項１】
筒状に形成された器具本体と、光源と、前記光源を点灯可能な電源装置と、端子台と、前記電源装置と前記端子台とを電気的に接続する電源線とを備え、
前記電源装置は、複数の電子部品が実装された基板と、前記基板を収納する中空柱状のボックスとを備え、
前記光源は、前記器具本体の第１端部に配置され、
前記電源装置は、前記器具本体内において、前記基板の実装面の法線が前記器具本体の中心軸と交差するように配置され、
前記端子台は、前記法線に沿った方向において前記電源装置と対向し、かつ、前記器具本体の第２端部側に配置され、
前記基板の実装面には、前記電源線を接続可能なコネクタが設けられ、前記コネクタは、前記基板の実装面において、前記器具本体の前記第２端部側に配置され、
前記ボックスにおける前記器具本体の前記第２端部側の部位には、前記コネクタを露出させる切欠き部が形成され、
前記電源線の一端は、前記端子台と接続され、前記電源線の他端は、前記切欠き部を通して前記コネクタと接続されている
ことを特徴とする照明器具。
【請求項２】
前記器具本体の前記第２端部には、前記ボックスの前記切欠き部を覆う蓋が設けられている
ことを特徴とする請求項１記載の照明器具。
【発明の詳細な説明】
【技術分野】
【０００１】
本発明は、照明器具に関する。
【背景技術】
【０００２】
従来、照明器具としては、外部電源の停電時に蓄電池を電源として光源を点灯させる非常用照明器具が知られている（例えば、特許文献１）。
【０００３】
特許文献１に記載された非常用照明器具は、本体と、光源と、蓄電池を有する蓄電池ブロックと、光源を点灯させる点灯回路を有する回路ブロックとを備えている。この非常用照明器具は、例えば、天井面に設置される。
【０００４】
本体は、円筒状の本体部と、天板部とを備えている。本体部の内側には、蓄電池ブロックおよび回路ブロックが収納されている。天板部には、商用電源の電源線が接続される端子台が取り付けられている。端子台は、回路ブロックと電気的に接続されている。
【先行技術文献】
【特許文献】
【０００５】
【特許文献１】２００２−２９８６１３号公報
【発明の概要】
【発明が解決しようとする課題】
【０００６】
従来例の非常用照明器具では、本体の天板部に端子台が取り付けられているため、非常用照明器具の高さを、より低くすることが難しい。すなわち、従来例の非常用照明器具では、より一層の小型化を図ることが難しい。
【０００７】
本発明の目的は、より一層の小型化を図ることが可能な照明器具を提供することにある。
【課題を解決するための手段】
【０００８】
本発明の照明器具は、筒状に形成された器具本体と、光源と、前記光源を点灯可能な電源装置と、端子台と、前記電源装置と前記端子台とを電気的に接続する電源線とを備えている。前記電源装置は、複数の電子部品が実装された基板と、前記基板を収納する中空柱状のボックスとを備えている。前記光源は、前記器具本体の第１端部に配置されている。前記電源装置は、前記器具本体内において、前記基板の実装面の法線が前記器具本体の中心軸と交差するように配置されている。前記端子台は、前記法線に沿った方向において前記電源装置と対向し、かつ、前記器具本体の第２端部側に配置されている。前記基板の実装面には、前記電源線を接続可能なコネクタが設けられている。前記コネクタは、前記基板の実装面において、前記器具本体の前記第２端部側に配置されている。前記ボックスにおける前記器具本体の前記第２端部側の部位には、前記コネクタを露出させる切欠き部が形成されている。前記電源線の一端は、前記端子台と接続されている。前記電源線の他端は、前記切欠き部を通して前記コネクタと接続されている。
【発明の効果】
【０００９】
本発明の照明器具においては、より一層の小型化を図ることが可能となる。
【図面の簡単な説明】
【００１０】
【図１】一実施形態の照明器具において一部破断された分解斜視図である。
【図２】一実施形態の照明器具の施工状態を示す斜視図である。
【図３】一実施形態の照明器具に関し、一部破断された基板を示す斜視図である。
【図４】一実施形態の照明器具に関し、器具本体を構成するベースと、ベースに取り付けられるカバーとを示す斜視図である。
【図５】一実施形態の照明器具において、器具本体の一部が取り外された状態を示す斜視図である。
【図６】一実施形態の照明器具において、器具本体の一部が取り外された状態を示す他の斜視図である。
【図７】一実施形態の照明器具において一部破断された断面図である。
【発明を実施するための形態】
【００１１】
以下では、一実施形態の照明器具１０について、図１〜図７を参照しながら説明する。
【００１２】
照明器具１０は、外部電源（図示せず）から給電されるように構成されている。外部電源は、例えば、商用電源である。また、照明器具１０は、天井材９０（図２参照）に設置されるように構成されている。具体的に説明すると、照明器具１０は、天井材９０に予め形成された孔９１に、埋め込み配置されるように構成されている。
【００１３】
照明器具１０は、器具本体１と、光源３と、非常用電源５と、電源装置６と、端子台１２と、電源装置６と端子台１２とを電気的に接続する一対の電源線５１ａ，５１ｂとを備えている。なお、以下では、説明の便宜上、一対の電源線５１ａ，５１ｂを、「一対の第１電源線５１ａ，５１ｂ」と称することもある。
【００１４】
器具本体１は、例えば、有底筒状に形成されている。器具本体１は、ケース１１と、ベース１３とを備えている。
【００１５】
ケース１１は、例えば、第１板材と、第２板材とを結合して筒状に形成されている。第１板材および第２板材の各々は、例えば、不燃材料により構成されている。不燃材料としては、例えば、アルミニウムが挙げられる。
【００１６】
ベース１３は、例えば、円柱状に形成されている。ベース１３は、例えば、不燃材料により形成されている。不燃材料としては、例えば、ＳＧＣＣ（溶融亜鉛めっき鋼板）、アルミニウムなどが挙げられる。
【００１７】
光源３は、発光部２と、基板１５と、放熱部材１６と、保持部材１８と、レンズ１７とを備えている。光源３は、器具本体１の下端部に配置されている。言い換えれば、光源３は、ベース１３に配置されている。なお、器具本体１の下端部とは、器具本体１において、この器具本体１の中心軸Ａ１に沿った下側の端部を意味する。また、器具本体１の下端部は、器具本体１の第１端部に相当する。
【００１８】
発光部２は、例えば、白色光を得るように構成されている。発光部２は、複数のＬＥＤ（図示せず）と、波長変換部１９と、封止部２０とを備えている。
【００１９】
複数のＬＥＤの各々は、例えば、青色ＬＥＤチップである。複数のＬＥＤの接続関係は、例えば、直列接続である。
【００２０】
波長変換部１９は、複数のＬＥＤすべてを覆うように構成されている。波長変換部１９は、例えば、蛍光体粒子と透光性材料との混合体により構成されている。蛍光体粒子は、例えば、黄色蛍光体粒子である。黄色蛍光体粒子は、ＬＥＤから放射された青色光により励起されてブロードな黄色光を放射する。透光性材料は、例えば、シリコーン樹脂である。なお、蛍光体粒子は、黄色蛍光体粒子に限らず、例えば、赤色蛍光体粒子と緑色蛍光体粒子とを組み合わせた蛍光体粒子であってもよい。また、透光性材料は、シリコーン樹脂に限らず、例えば、エポキシ樹脂であってもよい。
【００２１】
封止部２０は、波長変換部１９を覆うように構成されている。また、封止部２０は、透光性を有する封止材料により構成されている。封止材料は、例えば、シリコーン樹脂である。なお、封止材料は、シリコーン樹脂に限らず、例えば、エポキシ樹脂であってもよい。
【００２２】
発光部２は、青色ＬＥＤチップと黄色蛍光体粒子とで、白色光を得るように構成されているが、この構成に限らない。発光部２は、例えば、紫ＬＥＤチップと、赤色蛍光体粒子と緑色蛍光体粒子と青色蛍光体粒子とで、白色光を得るように構成されていてもよい。また、発光部２は、例えば、近紫外ＬＥＤチップと、赤色蛍光体粒子と緑色蛍光体粒子と青色蛍光体粒子とで、白色光を得るように構成されていてもよい。さらに、発光部２は、例えば、赤色ＬＥＤチップと緑色ＬＥＤチップと青色ＬＥＤチップとを組み合わせて、白色光を得るように構成されていてもよい。
【００２３】
基板１５は、例えば、プリント基板である。なお、基板１５は、プリント基板に限らず、例えば、セラミック基板であってもよい。
【００２４】
基板１５の第１面（図１では、下面）には、複数のＬＥＤが実装されている。すなわち、基板１５の第１面には、発光部２が配置されている。また、基板１５の第１面には、一対の端子部（図示せず）が設けられている。なお、以下では、説明の便宜上、一対の端子部を、「一対の第１端子部」と称する。また、実装とは、電気的な接続を意味する。
【００２５】
一対の第１端子部の各々は、基板１５に予め形成された導体部（図示せず）の一部により構成されている。また、一対の第１端子部の各々は、発光部２と電気的に接続されている。言い換えれば、一対の第１端子部は、直列接続された複数のＬＥＤと電気的に接続されている。具体的に説明すると、一対の第１端子部のうち一方の第１端子部は、直列接続された複数のＬＥＤにおける一端側の端子（図示せず）と電気的に接続されている。また、一対の第１端子部のうち他方の第１端子部は、直列接続された複数のＬＥＤにおける他端側の端子（図示せず）と電気的に接続されている。
【００２６】
放熱部材１６は、発光部２と基板１５とで発生する熱を放熱するように構成されている。放熱部材１６は、例えば、放熱シートである。放熱シートは、熱伝導性を有する。この放熱シートは、電気絶縁性を有するのが好ましい。放熱部材１６は、基板１５の第２面（図１では、上面）に配置されている。
【００２７】
保持部材１８は、基板１５と放熱部材１６とレンズ１７とを保持するように構成されている。保持部材１８は、例えば、一端部に上壁を有する円筒状に形成されている。保持部材１８は、例えば、合成樹脂により形成されている。保持部材１８の上壁の第１面（図１では、上面）には、基板１５と放熱部材１６とが配置されている。保持部材１８の上壁の第２面（図１では、下面）には、レンズ１７が配置されている。保持部材１８の上壁には、発光部２を露出させる孔３２が形成されている。
【００２８】
レンズ１７は、発光部２から放射された白色光を配光制御するように構成されている。レンズ１７は、例えば、ガラスにより形成されている。レンズ１７は、発光部２を覆うように配置されている。なお、レンズ１７は、ガラスにより形成されているが、これに限らず、例えば、シリコーン樹脂、アクリル樹脂により形成されていてもよい。
【００２９】
なお、複数のＬＥＤの接続関係は、直列接続に限らず、例えば、並列接続であってもよい。また、複数のＬＥＤの接続関係は、例えば、直列接続と並列接続とを組み合わせた接続であってもよい。ＬＥＤの数は、複数であるが、１つであってもよい。
【００３０】
非常用電源５は、本体部２１と、複数（例えば、２つ）の蓄電池４と、第１接続部２２とを備えている。非常用電源５は、器具本体１内に収納されている。
【００３１】
本体部２１は、複数の蓄電池４を収納するように構成されている。本体部２１は、例えば、合成樹脂により中空柱状に形成されている。
【００３２】
本体部２１の下端部は、器具本体１の下端部に配置されている。また、本体部２１の下端部は、器具本体１の下端部において、光源３と隣同士並んで配置されている。本体部２１の上端部は、器具本体１内に配置されている。
【００３３】
複数の蓄電池４は、本体部２１内に収納されている。複数の蓄電池４は、例えば、本体部２１内において、器具本体１の中心軸Ａ１に沿った方向に並べて配置されている。複数の蓄電池４の電気的な接続関係は、例えば、直列接続である。なお、複数の蓄電池４は、本体部２１内において、器具本体１の中心軸Ａ１に沿った方向に並べて配置されているが、この配置を特に限定するものではない。
【００３４】
第１接続部２２は、非常用電源５と電源装置６とを機械的に接続するように構成されている。第１接続部２２は、本体部２１の上端部に設けられている。第１接続部２２は、例えば、合成樹脂により形成されている。また、第１接続部２２は、本体部２１と一体に形成されている。
【００３５】
第１接続部２２は、一対の第１接続片（図示せず）を備えている。一対の第１接続片の各々は、例えば、金属により形成されている。一対の第１接続片の各々は、直列接続された複数の蓄電池４と電源装置６とを電気的に接続するように構成されている。
【００３６】
一対の第１接続片は、直列接続された複数の蓄電池４と電気的に接続されている。具体的に説明すると、一対の第１接続片のうち一方の第１接続片は、直列接続された複数の蓄電池４における一端側のプラス端子（図示せず）と電気的に接続されている。また、一対の第１接続片のうち他方の第１接続片は、直列接続された複数の蓄電池４における他端側のマイナス端子（図示せず）と電気的に接続されている。なお、以下では、説明の便宜上、直列接続された複数の蓄電池４を、単に「複数の蓄電池４」と称する。
【００３７】
電源装置６は、複数の蓄電池４を充電および放電可能に構成されている。電源装置６は、充電回路および放電回路を構成する複数の電子部品が実装された基板２３と、基板２３を収納するボックス５０とを備えている。電源装置６は、器具本体１内において光源３の上側に配置されている。また、電源装置６は、非常用電源５と対向するように配置されている。
【００３８】
基板２３は、例えば、プリント基板である。基板２３は、例えば、矩形板状に形成されている。複数の電子部品は、例えば、基板２３の実装面（図１では、右面）に配置されている。基板２３は、器具本体１内において、基板２３の実装面の法線が器具本体１の中心軸Ａ１と交差するように配置されている。言い換えれば、電源装置６は、器具本体１内において、基板２３の実装面の法線が器具本体１の中心軸Ａ１と交差するように配置されている。基板２３は、器具本体１内において、基板２３の実装面の法線が器具本体１の中心軸Ａ１と直交するように配置されていることが望ましい。
【００３９】
ボックス５０は、例えば、合成樹脂により中空柱状に形成されている。合成樹脂としては、例えば、ＰＰ（polypropylene）などが挙げられる。
【００４０】
充電回路は、複数の蓄電池４を充電するように構成されている。具体的に説明すると、充電回路は、外部電源の交流電圧を所定の直流電圧に変換するように構成されている。また、充電回路は、上記所定の直流電圧を、複数の蓄電池４に供給するように構成されている。これにより、充電回路は、複数の蓄電池４を充電することが可能となる。
【００４１】
放電回路は、複数の蓄電池４を放電するように構成されている。具体的に説明すると、放電回路は、複数の蓄電池４に予め充電された直流電圧を、光源３に供給するように構成されている。これにより、放電回路は、発光部２を発光させることが可能となる。
【００４２】
電源装置６は、外部電源からの給電時に、複数の蓄電池４を充電するように構成されている。電源装置６は、外部電源の停電時に、複数の蓄電池４を放電するように構成されている。また、電源装置６は、外部電源の停電時に、非常用電源５を電源として発光部２を発光させるように構成されている。要するに、電源装置６は、外部電源の停電時に、複数の蓄電池４を電源として光源３を点灯させるように構成されている。言い換えれば、電源装置６は、光源３を点灯可能に構成されている。これにより、照明器具１０は、例えば、外部電源の停電時などの非常時に、光源３を点灯させることが可能となる。
【００４３】
基板２３の実装面には、一対の第２端子部（図示せず）が設けられている。一対の第２端子部の各々は、基板２３に予め形成された導体部（図示せず）の一部により構成されている。また、一対の第２端子部の各々は、放電回路と電気的に接続されている。一対の第２端子部は、例えば、一対の第２電源線（図示せず）を介して、上記一対の第１端子部と電気的にそれぞれ接続されている。
【００４４】
また、基板２３の実装面には、一対の第１電源線５１ａ，５１ｂを電気的および機械的に接続可能なコネクタ９が実装されている。要するに、基板２３の実装面には、一対の第１電源線５１ａ，５１ｂを接続可能なコネクタ９が設けられている。
【００４５】
コネクタ９は、基板２３の実装面において、器具本体１の上端部側に配置されている。なお、器具本体１の上端部とは、器具本体１において、この器具本体１の中心軸Ａ１に沿った上側の端部を意味する。また、器具本体１の上端部は、器具本体１の第２端部に相当する。
【００４６】
電源装置６は、複数の蓄電池４の充電状態を点検するように構成されている。電源装置６は、点検装置と、操作部３６と、ホルダ５８（図３参照）と、表示部３７と、受信部５９とを備えている。なお、図１では、ホルダ５８の図示を省略している。また、複数の蓄電池４の充電状態とは、複数の蓄電池４の充電レベルを意味する。
【００４７】
点検装置は、外部電源の停電状態を疑似的に発生させ複数の蓄電池４の充電状態を点検するように構成されている。点検装置は、例えば、点検回路（図示せず）と、点検スイッチ３５と、点灯回路（図示せず）とを備えている。
【００４８】
点検回路および点灯回路の各々は、基板２３に予め設けられている。なお、点検回路および点灯回路の詳細については、後述する。
【００４９】
点検スイッチ３５は、外部電源の停電状態を疑似的に発生させ複数の蓄電池４の充電状態を点検するために、点検回路および点灯回路を動作させるように構成されている。点検スイッチ３５は、基板２３の実装面に実装されている。なお、点検スイッチ３５の詳細については、後述する。
【００５０】
操作部３６は、点検スイッチ３５を操作するように構成されている。操作部３６は、例えば、合成樹脂により形成された操作釦である。なお、操作部３６の詳細については、後述する。
【００５１】
ホルダ５８は、図３に示すように、操作部３６を保持するように構成されている。ホルダ５８は、例えば、合成樹脂により形成されている。ホルダ５８は、基板２３の実装面に取り付けられている。なお、ホルダ５８の詳細については、後述する。
【００５２】
表示部３７は、複数の蓄電池４の充電状態を表示するように構成されている。表示部３７は、例えば、ＬＥＤである。表示部３７は、基板２３の実装面に実装されている。
【００５３】
受信部５９は、例えば、赤外線あるいは電波を媒体とするリモートコントローラ（以下、「リモコン」）から送信された点検信号を受信可能に構成されている。受信部５９は、基板２３の実装面に実装されている。
【００５４】
電源装置６は、例えば、２種類の点検機能を有するように構成されている。具体的に説明すると、点検スイッチ３５は、第１点検スイッチ６１と、第２点検スイッチ６２とを備えている。操作部３６は、第１操作部４１と、第２操作部４２とを備えている。上述の点検回路は、第１点検回路（図示せず）と、第２点検回路（図示せず）とを備えている。第１点検回路および第２点検回路の各々は、基板２３に予め設けられている。なお、点検機能とは、複数の蓄電池４の充電状態を点検する機能を意味する。
【００５５】
第１点検スイッチ６１は、第１点検回路を動作させるように構成されている。第２点検スイッチ６２は、第２点検回路を動作させるように構成されている。第１点検スイッチ６１の高さは、第２点検スイッチ６２の高さよりも高く設定されている。
【００５６】
第１操作部４１は、第１点検スイッチ６１を操作するように構成されている。第１操作部４１は、例えば、合成樹脂により形成された操作釦である。第２操作部４２は、第２点検スイッチ６２を操作するように構成されている。第２操作部４２は、例えば、合成樹脂により形成された操作釦である。
【００５７】
第１点検回路は、例えば、第１操作部４１により第１点検スイッチ６１が操作されている間だけ、外部電源の停電状態を疑似的に発生させ複数の蓄電池４の充電状態を点検するように構成されている。
【００５８】
第２点検回路は、例えば、第２操作部４２により第２点検スイッチ６２が操作された後に予め設定された所定時間（例えば、３０分）だけ、外部電源の停電状態を疑似的に発生させ複数の蓄電池４の充電状態を点検するように構成されている。また、第２点検回路は、例えば、受信部５９により点検信号が受信されたとき、外部電源の停電状態を疑似的に発生させ複数の蓄電池４の充電状態を点検するように構成されている。
【００５９】
点灯回路は、例えば、第１点検回路もしくは第２点検回路の点検結果に基づいて、表示部３７を点灯および消灯可能に構成されている。一例を挙げて説明すると、点灯回路は、複数の蓄電池４に充電された電圧が規定電圧以上のとき、表示部３７を点灯状態にする。また、点灯回路は、複数の蓄電池４に充電された電圧が規定電圧未満のとき、表示部３７を消灯状態にする。
【００６０】
第１点検スイッチ６１および第２点検スイッチ６２の各々は、基板２３の実装面に実装されている。また、第１点検スイッチ６１および第２点検スイッチ６２の各々は、基板２３の実装面において、器具本体１の中心軸Ａ１に沿った方向に並び、かつ、第１点検スイッチ６１および第２点検スイッチ６２の操作方向を合わせるように実装されている。第１点検スイッチ６１は、例えば、基板２３の実装面において、器具本体１の上端部側に実装されている。第２点検スイッチ６２は、例えば、基板２３の実装面において、器具本体１の下端部側に実装されている。つまり、第２点検スイッチ６２は、第１点検スイッチ６１および第２点検スイッチ６２を操作する側から見て手前側（図１では、下側）に配置されている。
【００６１】
照明器具１０では、第２点検スイッチ６２が、第１点検スイッチ６１および第２点検スイッチ６２を操作する側から見て手前側に配置されているが、これに限らない。照明器具１０では、第１点検スイッチ６１が、第１点検スイッチ６１および第２点検スイッチ６２を操作する側から見て手前側に配置されていてもよい。この場合、第２点検スイッチ６２の高さは、第１点検スイッチ６１の高さよりも高く設定される。
【００６２】
第１操作部４１および第２操作部４２の各々は、第２点検スイッチ６２の周囲を囲むように構成され、かつ、器具本体１の中心軸Ａ１に沿って各別に変位するようにホルダ５８に保持されている。第１操作部４１および第２操作部４２の各々は、例えば、合成樹脂により形成されている。
【００６３】
ホルダ５８は、第１操作部４１および第２操作部４２の各々が器具本体１の中心軸Ａ１に沿って各別に変位するように第１操作部４１および第２操作部４２を保持する。
【００６４】
電源装置６におけるボックス５０には、第１操作部４１および第２操作部４２を通す第１孔（図示せず）が設けられている。また、ボックス５０には、表示部３７から出射された光と、受信部５９への点検信号とを通す第２孔（図示せず）が設けられている。
【００６５】
端子台１２は、一対の第１電源線５１ａ，５１ｂを電気的および機械的に接続するように構成されている。また、端子台１２は、一対の第３電源線（図示せず）を電気的および機械的に接続するように構成されている。一対の第３電源線は、外部電源と電気的に接続されている。また、一対の第３電源線は、例えば、天井材９０の上面に予め配線されている。
【００６６】
ベース１３の下端部には、凹部２４が形成されている。凹部２４は、光源３を配置するように構成されている。凹部２４の上壁４９には、第３孔２５（図４参照）が形成されている。第３孔２５は、例えば、上記一対の第２電源線それぞれを通すように形成されている。
【００６７】
ベース１３には、第４孔２６が形成されている。第４孔２６は、非常用電源５をベース１３の下端部からベース１３の上端部へ通すように形成されている。すなわち、第４孔２６は、非常用電源５をベース１３から器具本体１内に収納するように形成されている。
【００６８】
また、ベース１３の凹部２４の上壁４９には、第５孔３８と、第６孔３９と、第７孔４０とが形成されている。第５孔３８は、第１操作部４１および第２操作部４２を通すように形成されている。第６孔３９は、表示部３７から出射された光が通過するように形成されている。第７孔４０は、リモコンから送信された点検信号を器具本体１内の受信部５９へ通すように形成されている。
【００６９】
ベース１３の外周壁における下側の部位には、側方へ向かって突出する鍔部２７が全周に亘って設けられている。鍔部２７の外周形状は、例えば、円形状である。なお、鍔部２７の外周形状は、円形状であるが、この形状を特に限定するものではない。
【００７０】
また、ベース１３は、ケース１１に着脱可能に構成されている。具体的に説明すると、ベース１３の外周壁には、第１引掛部２８が複数箇所（例えば、４箇所）に設けられている。
【００７１】
４つの第１引掛部２８は、ベース１３の外周壁に、このベース１３の周方向に沿って等間隔で配置されている。なお、図４では、４つの第１引掛部２８のうち２つの第１引掛部２８が見えている。また、図１および図２では、４つの第１引掛部２８のうち１つの第１引掛部２８が見えている。
【００７２】
ケース１１の周壁８における下側の部位には、４つの第８孔３０が形成されている。なお、図１および図２では、４つの第８孔３０のうち１つの第８孔３０が見えている。
【００７３】
４つの第８孔３０は、４つの第１引掛部２８をそれぞれ引掛けるように形成されている。これにより、照明器具１０では、ベース１３をケース１１に取り付けることが可能となる。
【００７４】
また、照明器具１０は、カバー１４と、複数（例えば、２つ）の固定部材７，７とを備えている。
【００７５】
カバー１４は、ベース１３の下端部を覆うように構成されている。カバー１４は、本体部３１と、第２引掛部４３（図４参照）とを備えている。カバー１４は、例えば、合成樹脂により形成されている。合成樹脂としては、例えば、ＰＣ（polycarbonate）などが挙げられる。
【００７６】
本体部３１は、例えば、円板状に形成されている。なお、本体部３１の外周形状は、円形状であるが、この形状を特に限定するものではない。
【００７７】
本体部３１には、第９孔３３が形成されている。第９孔３３は、光源３のレンズ１７の光出射面３４を露出させるように形成されている。
【００７８】
また、本体部３１には、第１０孔４４と、第１１孔４５とが形成されている。
【００７９】
第１０孔４４は、第１操作部４１の操作面（図２では、下面）と、第２操作部４２の操作面（図２では、下面）とが露出するように形成されている。光源３の保持部材１８には、図１に示すように、第１操作部４１と第２操作部４２とを各別に通す挿通部材６０が設けられている。挿通部材６０は、例えば、楕円柱状に形成されている。挿通部材６０には、第１操作部４１を通す第１２孔６０ａが形成されている。また、挿通部材６０には、第２操作部４２を通す第１３孔６０ｂが形成されている。
【００８０】
第１１孔４５は、表示部３７から第６孔３９を通って出射された光が通過するように形成されている。また、第１１孔４５は、リモコンから送信された点検信号を器具本体１内の受信部５９へ通すように形成されている。
【００８１】
第２引掛部４３は、例えば、図４に示すように、Ｃ字状に構成されている。第２引掛部４３は、２つの脚片５３，５３と、２つの脚片５３，５３それぞれの一端部に連結された連結片５４とを備えている。第２引掛部４３は、本体部３１の第１面（図４では、上面）に取り付けられている。
【００８２】
２つの脚片５３，５３それぞれの他端部には、自身をベース１３に引掛けるための引掛爪４６が設けられている。
【００８３】
ベース１３の第４孔２６の内周壁４７には、２つの突出部４８，４８（図４参照）が形成されている。なお、図４では、２つの突出部４８，４８のうち１つの突出部４８が見えている。また、図１では、２つの突出部４８，４８の図示を省略している。
【００８４】
２つの突出部４８，４８は、２つの引掛爪４６，４６をそれぞれ引掛けるように形成されている。これにより、照明器具１０では、カバー１４をベース１３に取り付けることが可能となる。
【００８５】
２つの固定部材７，７の各々は、ベース１３に取り付けられるように構成されている。ベース１３の外周壁には、固定部材７を取り付ける取付部２９（図２および図４参照）が設けられている。
【００８６】
また、２つの固定部材７，７の各々は、器具本体１を天井材９０に固定するように構成されている。具体的に説明すると、２つの固定部材７，７の各々は、ベース１３の鍔部２７とで天井材９０を挟持するように構成されている。
【００８７】
２つの固定部材７，７の各々は、例えば、第３板材により形成されている。第３板材は、例えば、不燃材料により構成されている。不燃材料としては、例えば、ＳＵＳ（ステンレス鋼）、アルミニウムなどが挙げられる。
【００８８】
また、２つの固定部材７，７の各々は、ばね性を有するように構成されている。すなわち、２つの固定部材７，７の各々は、板ばねである。
【００８９】
ところで、端子台１２は、基板２３の実装面の法線に沿った方向において電源装置６と対向し、かつ、ボックス５０における端子台１２と対向する対向面５５（図５参照）において器具本体１の上端部側に配置されている。なお、図５では、ケース１１の一部（例えば、第１板材）が取り外されている。
【００９０】
ボックス５０の対向面５５には、端子台１２を支持する支持部材５６と、第２接続部５２（図１参照）とが設けられている。
【００９１】
支持部材５６は、例えば、合成樹脂により形成されている。支持部材５６は、ボックス５０と一体に形成されている。
【００９２】
第２接続部５２は、第１接続部２２を着脱自在に接続するように構成されている。具体的に説明すると、第２接続部５２には、第１接続部２２を挿抜可能な開口部（図示せず）が設けられている。すなわち、第２接続部５２は、非常用電源５と電源装置６とを機械的に接続するように構成されている。第２接続部５２は、例えば、合成樹脂により形成されている。また、第２接続部５２は、ボックス５０と一体に形成されている。
【００９３】
第２接続部５２は、一対の第２接続片（図示せず）を備えている。一対の第２接続片の各々は、例えば、金属により形成されている。一対の第２接続片の各々は、非常用電源５と基板２３とを電気的に接続するように構成されている。要するに、第２接続部５２は、非常用電源５と電源装置６とを電気的に接続するようにも構成されている。
【００９４】
一対の第２接続片は、例えば、一対の第４電源線（図示せず）を介して、基板２３と電気的に接続されている。また、一対の第２接続片は、一対の第４電源線を介して、充電回路および放電回路の両方と電気的に接続されている。
【００９５】
一対の第２接続片は、上述の一対の第１接続片を着脱自在に接続するように構成されている。なお、照明器具１０では、一対の第２接続片が、一対の第１接続片を着脱自在に接続するように構成されているが、この構成に限らない。一対の第１接続片は、一対の第２接続片を着脱自在に接続するように構成されていてもよい。
【００９６】
ボックス５０における器具本体１の上端部側の部位５７には、図５および図６に示すように、コネクタ９を露出させる切欠き部５７ａが形成されている。なお、図６では、ケース１１の一部が取り外されている。
【００９７】
一対の第１電源線５１ａ，５１ｂの各々の一端は、端子台１２と電気的および機械的に接続されている。一対の第１電源線５１ａ，５１ｂの各々の他端は、切欠き部５７ａを通してコネクタ９と電気的および機械的に接続されている。
【００９８】
器具本体１の上端部には、ボックス５０の切欠き部５７ａを覆う蓋８２（図７参照）が設けられていることが好ましい。
【００９９】
照明器具１０は、非常時に光源３を点灯させる照明器具（いわゆる、専用形の非常用照明器具）であるが、これに限らない。照明器具１０は、例えば、通常時に光源３を点灯させる照明器具であってもよい。また、照明器具１０は、例えば、通常時および非常時に光源３を点灯させる照明器具（いわゆる、併用形の非常用照明器具）であってもよい。なお、通常時とは、非常時以外のときを意味する。
【０１００】
複数の蓄電池４の電気的な接続関係は、直列接続であるが、この接続に限らない。複数の蓄電池４の電気的な接続関係は、例えば、並列接続であってもよい。また、複数の蓄電池４の電気的な接続関係は、例えば、直列接続と並列接続とを組み合わせた接続であってもよい。蓄電池４の数は、複数であるが、１つであってもよい。
【０１０１】
以上説明した照明器具１０は、筒状に形成された器具本体１と、光源３と、光源３を点灯可能な電源装置６と、端子台１２と、電源装置６と端子台１２とを電気的に接続する一対の電源線５１ａ，５１ｂとを備えている。電源装置６は、複数の電子部品が実装された基板２３と、基板２３を収納する中空柱状のボックス５０とを備えている。光源３は、器具本体１の第１端部に配置されている。電源装置６は、器具本体１内において、基板２３の実装面の法線が器具本体１の中心軸Ａ１と交差するように配置されている。端子台１２は、前記法線に沿った方向において電源装置６と対向し、かつ、器具本体１の第２端部側に配置されている。基板２３の実装面には、一対の電源線５１ａ，５１ｂを接続可能なコネクタ９が設けられている。コネクタ９は、基板２３の実装面において、器具本体１の第２端部側に配置されている。ボックス５０における器具本体１の第２端部側の部位５７には、コネクタ９を露出させる切欠き部５７ａが形成されている。一対の電源線５１ａ，５１ｂの各々の一端は、端子台１２と接続されている。一対の電源線５１ａ，５１ｂの各々の他端は、切欠き部５７ａを通してコネクタ９と接続されている。よって、照明器具１０では、端子台１２が、前記法線に沿った方向において電源装置６と対向し、かつ、器具本体１の第２端部側に配置されているので、従来例の非常用照明器具に比べて、全体の高さを、より低くすることが可能となる。よって、照明器具１０では、より一層の小型化を図ることが可能となる。
【０１０２】
また、照明器具１０では、端子台１２が、前記法線に沿った方向において電源装置６と対向し、かつ、器具本体１の第２端部側に配置されている。コネクタ９は、基板２３の実装面において器具本体１の第２端部側に配置されている。ボックス５０における器具本体１の第２端部側の部位５７には、コネクタ９を露出させる切欠き部５７ａが形成されている。これにより、照明器具１０では、一対の電源線５１ａ，５１ｂの長さを短くすることが可能となり、一対の電源線５１ａ，５１ｂを配線する作業性を向上させることが可能となる。
【０１０３】
器具本体１の第２端部には、上述の様に、ボックス５０の切欠き部５７ａを覆う蓋８２が設けられていることが好ましい。これにより、照明器具１０では、例えば、異物（例えば、埃など）が、切欠き部５７ａからボックス５０内に侵入するのを抑制することが可能となる。
【符号の説明】
【０１０４】
１  器具本体
３  光源
６  電源装置
９  コネクタ
１０  照明器具
１２  端子台
２３  基板
５０  ボックス
５１ａ  電源線
５１ｂ  電源線
５５  対向面
５７  部位
５７ａ  切欠き部
８２  蓋
【図１】
0006327562.tif 000002
【図２】
0006327562.tif 000003
【図３】
0006327562.tif 000004
【図４】
0006327562.tif 000005
【図５】
0006327562.tif 000006
【図６】
0006327562.tif 000007
【図７】
0006327562.tif 000008